(57)【要約】【課題】化粧札をケース外面へ簡単且つ確実に装着可能とする。【解決手段】化粧札１３に、ケース１のラッチ５，５に対応する係止片１４，１４と、ケース１の蓋体３における収容部９との隙間１６に対応する折り込み片１５，１５とを設けて、ケース１に化粧札１３を装着する際、係止片１４，１４をラッチ５，５のロック体７と爪部８との間で挟持させる一方、折り込み片１５，１５を折り重ねて隙間１６に差し込むことで、化粧札１３を蓋体３の外面へ装着可能とした。【選択図】図３
2007314221.tif 000002
【特許請求の範囲】
【請求項１】
本体と蓋体との一方の端部同士をヒンジ結合し、他方の自由端同士を、一方に設けた爪部に、他方に設けたロック体を係止させるラッチで結合可能としたケースの外面に、薄板状の化粧札を部分的に装着するため構造であって、
前記化粧札に、前記ケースのラッチに対応する第１の装着片と、前記ケースに形成された差込部に対応する第２の装着片とを設けて、
前記第１の装着片を前記ラッチのロック体と爪部との間で挟持させる一方、前記第２の装着片を折り重ねて前記差込部に差し込むことで、前記化粧札を前記ケース外面へ装着可能としたことを特徴とするケースにおける化粧札の装着構造。
【発明の詳細な説明】
【技術分野】
【０００１】
本発明は、電動工具等の製品を収納するケースの外面に、製品の説明やその宣伝コピー等を表示するための化粧札を装着する構造に関する。
【背景技術】
【０００２】
電動工具等の製品を収納するケースは、例えば特許文献１に示すように、製品を載置する矩形の本体と蓋体との一方の端部同士をヒンジによって結合し、他方の自由端同士は、例えば蓋体外面に設けた爪部に、同じく本体外面に設けたロック体を係合させて結合するラッチを採用したものがよく知られている。
一方、ケースには、製品の説明やその宣伝コピー等を記載してデザインが施された化粧スリーブが外装されて販売店等で陳列される場合がある。しかし、このような化粧スリーブは最終的には廃棄されてしまうことから、省資源のためにケースの外面へ部分的に装着される小面積の化粧札に代わりつつある。これは、例えば図５に示すように、本体２１と蓋体２２とからなるケース２０において、蓋体２２の外面に、矩形の化粧札２４の端部を差し込み係止する爪２３，２３・・を突設しておき、この爪２３を利用して化粧札２４を装着する構造であった。
【０００３】
【特許文献１】実公昭５４−４０８８１号公報
【発明の開示】
【発明が解決しようとする課題】
【０００４】
しかし、この装着構造においては、爪２３の強度が低いため、運搬中等に爪２３が破損して化粧札２４が外れてしまうおそれがあった。また、ケース２０側に爪２３の加工が必要となるため、コストアップにも繋がってしまう。
【０００５】
そこで、本発明は、低コストで化粧札をケース外面へ確実に装着することができるケースにおける化粧札の装着構造を提供することを目的としたものである。
【課題を解決するための手段】
【０００６】
上記目的を達成するために、請求項１に記載の発明は、化粧札に、ケースのラッチに対応する第１の装着片と、ケースに形成された差込部に対応する第２の装着片とを設けて、第１の装着片をラッチのロック体と爪部との間で挟持させる一方、第２の装着片を折り重ねて差込部に差し込むことで、化粧札をケース外面へ装着可能としたことを特徴とするものである。
【発明の効果】
【０００７】
請求項１に記載の発明によれば、ラッチと差込部とを利用して化粧札を簡単に装着することができる。特に、ラッチでの挟持と折り重ねた折り込み片の差し込みとによって化粧札の偶発的な脱却のおそれが低減し、確実な装着が期待できる。而も、ケースのラッチや差込部を利用したことで、構造が合理化してケースには化粧札の装着に係る余計な加工が不要又は最小限となり、コストアップも生じない。
【発明を実施するための最良の形態】
【０００８】
以下、本発明の実施の形態を図面に基づいて説明する。
図１は、本発明の装着構造によって化粧札を装着した電動工具用のケースの斜視図、図２はその平面図、図３はＡ−Ａ線断面図で、ケース１は、電動工具を収容する平面矩形状の深底の箱状体である本体２と、その本体２の開口を閉塞する同形状で浅底の箱状体である蓋体３とからなり、本体２と蓋体３との一方の端部同士はヒンジ４で回転可能に蝶着される。他方の自由端同士は、本体２の開口際で操作板６を介して軸着されたロック体７を、蓋体３の開口際に突設された爪部８に係止させ、操作板６を本体２側へ押圧することで、ロック体７が爪部８を引き寄せながら係止する周知のラッチ５，５が一対設けられて、ケース２に対して蓋体３を任意に開閉可能としている。
【０００９】
また、蓋体３の外側には、電動工具の付属品等を収容する収容部９が凹設されると共に、収容部９の開口を閉塞する小蓋１０が設けられている。この小蓋１０は、収容部９におけるヒンジ４側の辺が収容部９の開口際へヒンジ１０ａによって回転可能に蝶着され、ラッチ５側の辺は、中央に突設した操作部１１を蓋体３の外面に係止させることで、任意に収容部９を開閉可能としたものである。１２はラッチ５，５間で本体２の開口際に設けられた取っ手である。
【００１０】
そして、蓋体３の外面には、化粧札１３が装着されている。この化粧札１３は、図４に示すように、矩形状を呈する紙製で、長手辺の一方には、ケース１のラッチ５，５に対応する第１の装着片としての一対の台形状の係止片１４，１４が、他方には、第２の装着片として一対の四角形状の折り込み片１５，１５が、夫々左右対称に連設されている。
【００１１】
以上の如く構成されたケース１に化粧札１３を装着する際、係止片１４，１４をラッチ５，５側に、折り込み片１５，１５を小蓋１０のヒンジ１０ａ側にして、各折り込み片１５を、図４で示す点線を山折り、二点鎖線を谷折りにすることで、図３に実線で示すように折り重ねて、同図に拡大して示すＡ部のように、そのまま差込部となる収容部９の開口と小蓋１０との隙間１６に差し込む。次に、各係止片１４を、同様に図４で示す点線を山折り、二点鎖線を谷折りにして蓋体３の外面に沿わせるようにすると、先端部分が爪部８におけるロック体７の係止部分まで達する。この状態でラッチ５を操作してロック体７を爪部８に係止させると、ロック体７の端部が係止片１４の先端ごと爪部８に係止して係止片１４を固定する。よって、図３で二点鎖線で示すように化粧札１３の蓋体３への装着は完了する。
【００１２】
この装着状態では、折り込み片１５，１５は折り重ねて隙間１６内に差し込まれるため、その差込方向と直交する方向に外力が加わっても隙間１６から脱却しにくくなり、係止片１４，１４も、ラッチ５，５を解除しない限り爪部８から外れないため、蓋体３へ確実に一体化される。
なお、化粧板１３を取り外す場合は、ラッチ５，５を解除してロック体７の爪部８への係止を解けば、係止片１４，１４が爪部８から外れるため、そのまま化粧板１３を縦にして折り込み片１５の差込方向と反対側へ引っ張れば、折り込み片１５，１５を容易に隙間１６から抜き取ることができる。
【００１３】
このように、上記形態の装着構造によれば、化粧札１３に、ケース１のラッチ５に対応する係止片１４と、ケース１に形成された隙間１６に対応する折り込み片１５とを設けて、係止片１４をラッチ５のロック体７と爪部８との間で挟持させる一方、折り込み片１５を折り重ねて隙間１６に差し込むことで、化粧札１３をケース１外面へ装着可能としたことで、ラッチ５と隙間１６とを利用して化粧札１３を簡単に装着することができる。特に、ラッチ５での挟持と折り込み片１５の差し込みとによって化粧札１３の偶発的な脱却のおそれが低減し、確実な装着が期待できる。而も、ケース１のラッチ５や隙間１６を利用したことで、構造が合理化してケース１には化粧札１３の装着に係る余計な加工が不要となり、コストアップも生じない。
【００１４】
なお、上記形態では、化粧札の差込部として、蓋体における収容部とその小蓋との隙間を利用しているが、例えば本体と蓋体との隙間やスリットを利用する等、ケース側の既存の構成部を差込部として利用して差し支えない。勿論このような既存の差込部に依らず、新たにスリット等の差込部をケース側に形成してもよい。スリット程度の加工であればコストアップは僅かで済む。
また、化粧札は、第１、第２の装着片を夫々一対ずつ設けた形態で説明しているが、ケース側のラッチや差込部の数や位置によっては、中央に一つずつ、或いは何れか一方を一つで他方を二つとする等、適宜増減可能である。さらに、装着片を設ける位置も互いの対向辺に限らず、例えば第２の装着片を他方の対向辺側に設ける等しても差し支えない。
【００１５】
その他、化粧札の全体形状も、矩形状に限らず、円形や長円、多角形等、装着片によるケースへの装着が可能であれば適宜変更可能で、蓋体の一面側のみでなく、差込部の位置によっては他の面側へ回り込む形状とすることもできる。勿論化粧札は本体の表面に設けてもよいし、蓋体と本体との双方に設けてもよい。
【図面の簡単な説明】
【００１６】
【図１】化粧札を装着したケースの斜視図である。
【図２】化粧札を装着したケースの平面図である。
【図３】Ａ−Ａ線断面図である。
【図４】化粧札の展開図である。
【図５】従来の化粧札を装着したケースの斜視図である。
【符号の説明】
【００１７】
１・・ケース、２・・本体、３・・蓋体、５・・ラッチ、６・・操作板、７・・ロック体、８・・爪部、９・・収容部、１０・・小蓋、１３・・化粧札、１４・・係止片、１５・・折り込み片、１６・・隙間。
【図１】
2007314221.tif 000003
【図２】
2007314221.tif 000004
【図３】
2007314221.tif 000005
【図４】
2007314221.tif 000006
【図５】
2007314221.tif 000007